(57)【特許請求の範囲】
【請求項１】
送風装置と遠隔操作装置とからなる送風システムであって、
前記送風装置が、基部と、基部に対して回転又は往復回動可能に設けられると共にファン及びファンモータが設けられる送風部と、基部に対して送風部を回転又は往復回動させる首振りモータと、ファンモータ及び首振りモータを制御する制御部と、遠隔操作装置からのデータを受信する通信手段とを有する送風システムにおいて、
前記遠隔操作装置が、タッチパネル、南北の方位情報を出力する方位センサ及び双方向通信手段を有する無線情報端末であり、この無線情報端末に前記送風装置を制御するプログラムが導入され、
前記送風装置に南北の方位情報を出力する方位センサが設けられ、前記送風装置の通信手段が双方向通信手段であり、
前記送風装置の方位センサの出力した南北の方位情報と前記無線情報端末の方位センサが出力した南北の方位情報とが、前記送風装置と無線情報端末との共通の基準方向情報とされ、
前記プログラムが、前記送風装置からの情報を受信して前記送風部の方向及び送風範囲を表示すると共に、前記無線情報端末の操作により前記送風部の方向及び送風範囲を指定する操作表示手段を有することを特徴とする送風システム。
【請求項２】
前記操作表示手段が環状又は弧状とされたことを特徴とする請求項１記載の送風システム。
【請求項３】
前記送風部の向いている方向に対応する前記操作表示手段の部位が、それ以外の部位と異なる表示態様とされたことを特徴とする請求項２記載の送風システム。
【請求項４】
前記送風部の向いている方向を表示する方向表示手段が設けられることを特徴とする請求項２記載の送風システム。
【請求項５】
前記方向表示手段が前記操作表示手段の中央部に設けられることを特徴とする請求項４記載の送風システム。
【請求項６】
送風装置と遠隔操作装置とからなる送風システムであって、
前記送風装置が、基部と、基部に対して回転又は往復回動可能に設けられると共にファン及びファンモータが設けられる送風部と、基部に対して送風部を回転又は往復回動させる首振りモータと、ファンモータ及び首振りモータを制御する制御部と、遠隔操作装置からのデータを受信する通信手段とを有し、
前記遠隔操作装置が、操作手段と、前記送風装置へ情報を送信する通信手段を有する送風システムにおいて、
前記送風装置と遠隔操作装置のそれぞれに南北の方位情報を出力する方位センサが設けられると共に、
前記送風装置の方位センサの出力した南北の方位情報と前記遠隔操作装置の方位センサが出力した南北の方位情報とが、前記送風装置と遠隔操作装置との共通の基準方向情報とされ、
前記遠隔操作装置を前記送風装置に向けることで前記遠隔操作装置と送風装置とを結ぶ仮想線が生じ、
前記制御部が、前記送風装置の方向を向いた前記遠隔操作装置の仮想線の方向と南北の基準方向とが成す角度を前記遠隔操作装置から受信し、この角度と前記送風装置の南北の基準方向に基づいて、前記送風装置から見た前記遠隔操作装置の方向を導き出すものであることを特徴とする送風システム。
【発明の詳細な説明】
【技術分野】
【０００１】
本発明は、扇風機やサーキュレータ等の送風装置と、この送風装置を操作するための遠隔操作装置とからなる送風システムに関するものである。
【背景技術】
【０００２】
従来、この種の送風システムとしては、扇風機本体（本願発明の送風装置に該当する）とリモコン送信機（本願発明の遠隔操作装置に該当する）を有する扇風機が知られている（例えば、特許文献１参照）。この扇風機の扇風機本体は、床に載置される台座と、台座の上方に設けられる支柱と、支柱の上端部に設けられ、送風用の羽根を有する送風部とを有し、リモコン送信機によって送風部を左右水平方向に首振りさせることができるものである。
【先行技術文献】
【特許文献】
【０００３】
【特許文献１】特開２０１６−１１５９７号公報
【発明の概要】
【発明が解決しようとする課題】
【０００４】
しかしながら、このような送風システムでは、遠隔操作装置を用いて送風部を使用者がいる方向に向けようとすると、右ボタン又は左ボタンを押して送風部を回動させた後、この送風部が使用者の方向を向いた時に回動停止の操作をしなければならず、操作が面倒であった。また、このような送風システムでは、送風範囲を任意に設定することができるものの、前記送風部を回動させながら、この送風部の可動端（右端と左端）を指定しなければならないので、設定に時間がかかるばかりでなく、直感的に設定できないという問題があった。
【０００５】
本発明は以上の問題点を解決し、簡単な遠隔操作で送風部を使用者の方向に向けさせることができる送風システムを提供することを目的とする。また、直感的に送風範囲を遠隔操作により設定することができる送風システムを提供することを目的とする。
【課題を解決するための手段】
【０００６】
本発明の請求項１に記載の送風システムは、送風装置と遠隔操作装置とからなる送風システムであって、前記送風装置が、基部と、基部に対して回転又は往復回動可能に設けられると共にファン及びファンモータが設けられる送風部と、基部に対して送風部を回転又は往復回動させる首振りモータと、ファンモータ及び首振りモータを制御する制御部と、遠隔操作装置からのデータを受信する通信手段とを有する送風システムにおいて、前記遠隔操作装置が、タッチパネル、南北の方位情報を出力する方位センサ及び双方向通信手段を有する無線情報端末であり、この無線情報端末に前記送風装置を制御するプログラムが導入され、前記送風装置に南北の方位情報を出力する方位センサが設けられ、前記送風装置の通信手段が双方向通信手段であり、前記送風装置の方位センサの出力した南北の方位情報と前記無線情報端末の方位センサが出力した南北の方位情報とが、前記送風装置と無線情報端末との共通の基準方向情報とされ、前記プログラムが、前記送風装置からの情報を受信して前記送風部の方向及び送風範囲を表示すると共に、前記無線情報端末の操作により前記送風部の方向及び送風範囲を指定する操作表示手段を有するものである。
【０００７】
また、本発明の請求項２に記載の送風システムは、請求項１において、前記操作表示手段が環状又は弧状とされたものである。
【０００８】
また、本発明の請求項３に記載の送風システムは、請求項２において、前記送風部の向いている方向に対応する前記操作表示手段の部位が、それ以外の部位と異なる表示態様とされたものである。
【０００９】
また、本発明の請求項４に記載の送風システムは、請求項２において、前記送風部の向いている方向を表示する方向表示手段が設けられるものである。
【００１０】
また、本発明の請求項５に記載の送風システムは、請求項４において、前記方向表示手段が前記操作表示手段の中央部に設けられるものである。
【００１１】
更に、本発明の請求項６に記載の送風システムは、送風装置と遠隔操作装置とからなる送風システムであって、前記送風装置が、基部と、基部に対して回転又は往復回動可能に設けられると共にファン及びファンモータが設けられる送風部と、基部に対して送風部を回転又は往復回動させる首振りモータと、ファンモータ及び首振りモータを制御する制御部と、遠隔操作装置からのデータを受信する通信手段とを有し、前記遠隔操作装置が、操作手段と、前記送風装置へ情報を送信する通信手段を有する送風システムにおいて、前記送風装置と遠隔操作装置のそれぞれに南北の方位情報を出力する方位センサが設けられると共に、前記送風装置の方位センサの出力した南北の方位情報と前記遠隔操作装置の方位センサが出力した南北の方位情報とが、前記送風装置と遠隔操作装置との共通の基準方向情報とされ、前記遠隔操作装置を前記送風装置に向けることで前記遠隔操作装置と送風装置とを結ぶ仮想線が生じ、前記制御部が、前記送風装置の方向を向いた前記遠隔操作装置の仮想線の方向と南北の基準方向とが成す角度を前記遠隔操作装置から受信し、この角度と前記送風装置の南北の基準方向に基づいて、前記送風装置から見た前記遠隔操作装置の方向を導き出すものである。
【発明の効果】
【００１２】
本発明の請求項１に記載の送風システムは、以上のように構成することにより、プログラムの実行によって前記タッチパネル上に表示された操作表示手段を操作することで、前記送風装置に対する無線情報端末の姿勢が変化しても、共通の基準方向情報に基づいて送風システム全体の系として見た前記操作表示手段の絶対的な位置関係が変化せずに、前記送風部の方向及び送風範囲が前記タッチパネルに表示され続けるので、容易且つ直感的に遠隔操作を行うことができる。
【００１３】
なお、前記操作表示手段が環状又は弧状とされたことで、遠隔操作による送風方向及び送風範囲の指定を直感的に且つ容易に行うことができる。
【００１４】
また、前記送風部の向いている方向に対応する前記操作表示手段の部位が、それ以外の部位と異なる表示態様とされることで、遠隔操作による送風方向及び送風範囲の指定をより直感的に且つ容易に行うことができる。
【００１５】
また、前記送風部の向いている方向を表示する方向表示手段が設けられることで、遠隔操作による送風方向及び送風範囲の指定をより直感的に且つ容易に行うことができる。
【００１６】
また、前記方向表示手段が前記操作表示手段の中央部に設けられることで、遠隔操作による送風方向及び送風範囲の指定を更に直感的に且つ容易に行うことができる。
【００１７】
更に、本発明の請求項６に記載の送風システムは、以上のように構成することにより、遠隔操作装置を送風装置に向けた後、前記操作手段を操作して、基準方向と仮想線の成す角度を送風装置に送信するという直感的で且つ簡単な操作を行うだけで、前記送風装置から見た前記遠隔操作装置の方向を導き出すことができるので、前記送風装置の送風部を容易に前記遠隔操作装置の方向に向けることができる。
【図面の簡単な説明】
【００１８】
【図１】本発明の第一の実施形態を示す送風装置の全体正面図である。
【図２】同、送風部の一部拡大断面図である。
【図３】同、基部の拡大斜視図である。
【図４】同、基部の内部の概略説明図である。
【図５】同、位置検知手段を構成する回転体の外観図であり、（ａ）は平面図、（ｂ）は正面図、（ｃ）は底面図である。
【図６】同、位置検知手段を構成する回転体の斜視図である。
【図７】同、基部上面の操作部及び表示部の説明図である。
【図８】同、電源プラグ接続時における表示部の表示状態を示す説明図である。
【図９】同、電源オン時における表示部の表示状態を示す説明図である。
【図１０】同、電源オン時における表示部の表示状態を示す説明図である。
【図１１】同、電源オン時における表示部の表示状態を示す説明図である。
【図１２】同、電源オン時における表示部の表示状態を示す説明図である。
【図１３】同、最小風量時における表示部の表示状態を示す説明図である。
【図１４】同、最大風量時における表示部の表示状態を示す説明図である。
【図１５】同、送風部の方向を指定した際の送風部の回動を示す説明図である。
【図１６】同、指定範囲が一箇所の場合における送風部の回動を示す説明図である。
【図１７】同、指定範囲が全周の場合における送風部の回動を示す説明図である。
【図１８】同、指定範囲が二箇所以上で且つ最大非指定範囲Ｂｍａｘを除いた範囲が１８０度以下の場合における送風部の回動を示す説明図である。
【図１９】同、指定範囲が二箇所以上で且つ最大非指定範囲Ｂｍａｘを除いた範囲が１８０度より大の場合における送風部の回動を示す説明図である。
【図２０】同、回路ブロック図である。
【図２１】同、扇風機と無線情報端末との位置関係とタッチパネルの表示態様を示す説明図である。
【図２２】同、無線情報端末がαの位置にある場合のタッチパネルの表示状態を示す説明図である。
【図２３】同、無線情報端末がβの位置にある場合のタッチパネルの表示状態を示す説明図である。
【図２４】同、無線情報端末がγの位置にある場合のタッチパネルの表示状態を示す説明図である。
【図２５】本発明の第二の実施形態を示す送風システムの扇風機と無線情報端末との位置関係とタッチパネルの表示態様の説明図である。
【図２６】同、無線情報端末がαの位置にある場合のタッチパネルの表示状態を示す説明図である。
【図２７】同、無線情報端末がβの位置にある場合のタッチパネルの表示状態を示す説明図である。
【図２８】同、無線情報端末がγの位置にある場合のタッチパネルの表示状態を示す説明図である。
【図２９】本発明の第三の実施形態を示す送風システムの扇風機と無線情報端末との位置関係とタッチパネルの表示態様の説明図である。
【図３０】同、無線情報端末がαの位置にある場合のタッチパネルの表示状態を示す説明図である。
【図３１】同、無線情報端末がβの位置にある場合のタッチパネルの表示状態を示す説明図である。
【図３２】同、無線情報端末がγの位置にある場合のタッチパネルの表示状態を示す説明図である。
【図３３】本発明の第四の実施形態を示す送風システムの扇風機と遠隔操作装置との位置関係の説明図である。
【図３４】同、送風装置から見た無線情報端末の方向を導き出す原理を示す説明図である。
【図３５】本発明の送風システムにおける送風装置の他の例を示す斜視図である。
【発明を実施するための形態】
【００１９】
以下、本発明の実施形態について、図１乃至図２４に基づいて説明する。なお、以下の説明において、「送風部３の方向」とは、送風部３による送風方向のことを指す。また、「送風部３を回転（又は回動）させる」とは、送付部３の方向を変えることであり、「送風部３の軸流ファン３５を回転させる」ことと区別する。更に、左回りを順回転又は順方向、右回りを逆回転又は逆方向と定義する。１は本発明の送風システムを構成する送風装置としての扇風機である。この扇風機１は、短円柱状の基部２と、この基部２の上部に設けられた送風部３とを有して構成される。そして、この送風部３は、前記基部２の中心から垂直に立設された支柱４と、この支柱４の上端に設けられた傾斜Ｌ字状の腕部５と、この腕部５の上端に設けられた送風部本体６を有して構成される。
【００２０】
前記基部２は、図示しないフレームと、このフレームの外側に支持されたケーシング７とを有する。そして、前記フレームには、上ベアリング８及び下ベアリング９が支持される。また、これら両ベアリング８，９によって取付軸１０が支持される。更に、この取付軸１０には、従動ギア１１が支持される。なお、この従動ギア１１は、前記上ベアリング８と下ベアリング９の間に位置する。また、前記従動ギア１１の下方には、前記送風部３がどの方向を向いているかを検知するための位置検知手段１２が設けられる。そして、前記取付軸１０の側方には、ステッピングモータからなる首振りモータ１３が設けられる。即ち、前記首振りモータ１３は、供給される電流のパルス数によって回転が制御される。前記首振りモータ１３の回転軸１４には、駆動ギア１５が支持される。そして、この駆動ギア１５は、前記従動ギア１１と噛み合う。従って、前記首振りモータ１３の回転は、前記駆動ギア１５と従動ギア１１からなる動力伝達機構によって前記取付軸１０に伝達される。なお、前記首振りモータ１３及び駆動ギア１５は、上下方向において、前記上ベアリング８と下ベアリング９の間に位置する。従って、前記首振りモータ１３、前記駆動ギア１５と従動ギア１１からなる動力伝達機構、前記取付軸１０、及び前記上ベアリング８と下ベアリング９がコンパクトに配置されるので、基部を小型化することができる。その一方で、前記上ベアリング８と下ベアリング９の間隔を、前記基部２の寸法範囲内で最大限大きくすることができるので、前記取付軸１０、ひいては前記送風部３を、安定して軸支することができる。更に、前記取付軸１０の下方には、電源供給用のスリップリング１６が設けられる。このスリップリング１６の可動側は、前記取付軸１０に接続され、この取付軸１０と一緒に回転又は回動可能である。一方、前記スリップリング１６の固定側は、前記フレームに固定される。なお、１７は、後述する制御部としてのマイクロコンピュータ４３が設けられた制御回路である。また、前記取付軸１０の上端部には、前記支柱４が同軸状に固定される。
【００２１】
前記位置検知手段１２について詳述する。この位置検知手段１２は、図５及び図６に示すように、前記取付軸１０に固定された回動体１８と、前記基部のフレームに固定されたセンサ１９，２０を有して構成される。即ち、前記回動体１８は、前記取付軸１０、ひいては、この取付軸１０に固定された前記送風部３と共に回転又は往復回動するよう構成されている。前記回動体１８は、一対の円板状の第一遮蔽板２１，第二遮蔽板２２と、これらの遮蔽板２１，２２同士を接続する短円筒部２３を有して、全体としてボビン状に構成される。そして、前記各遮蔽板２１，２２には、複数（本例においては８つ）のスリット２４，２５が、それぞれ設けられる。なお、これらのスリット２４，２５は、ランダムに設けられている訳ではなく、所定角度間隔（本例では２２．５度刻みで１６箇所）に設けられた検知箇所のうち、半数に前記スリット２４，２５が形成される。従って、前記第一遮蔽板２１において、一のスリット２４と他のスリット２４との成す角度は、所定角度（２２．５度）の倍数である。前記第二遮蔽板２２においても同様である。一方、前記センサ１９，２０は、それぞれフォトインタラプタと呼ばれる形式のものである。即ち、発光部及び受光部（何れも図示せず）からなるものである。そして、発光部が発した光を、前記スリット２４，２５を通して受光部で受けることで、前記センサ１９，２０はオン信号を発する。一方、発光部が発した光が前記各遮蔽板２１，２２によって遮られて受光部で受けることができなければ、前記センサ１９，２０はオン信号を発さない。換言すると、この状態はオフ状態である。即ち、前記回動体１８の遮蔽板２１，２２において、前記スリット２４，２５が形成された位置がオン部、前記スリット２４，２５に対し所定角度の倍数（２２．５ｎ度：ｎは整数）隔てた位置においてスリット２４，２５が形成されていない位置がオフ部となる。
【００２２】
前記基部２の上面には、前記支柱４を囲むように、中央から外周に向かって、調節手段２７及び指定手段２８が同心状に設けられる。また、前記調節手段２７は、電源スイッチ２７ａ及び風量表示部２７ｂを兼ねる。この風量表示部２７ｂは、その内部に複数（本例の場合、２４個）の表示素子としての表示ＬＥＤ２７ｃが環状に配列されている。更に、前記指定手段２８は、範囲表示部２８ｂを兼ねる。この範囲表示部２８ｂは、その内部に複数（本例の場合、３個ずつ１６組）の表示ＬＥＤ２８ｃが環状に配列されている。なお、前記調節手段２７及び指定手段２８は、その上を指で押したり長さ方向になぞったりすることで操作されるものである。前記調節手段２７及び指定手段２８は、前記基部２の全周に渡って円環状に設けられる。これによって、あらゆる方向から直感的に風量を調節したり送風方向範囲を指定したりすることができる。また、前記指定手段２８が前記基部２の上面に設けられることで、指定範囲が一覧できるので、送風範囲をより分かりやすく指定することができる。更に、前記指定手段２８によって指定された方向範囲は、前記範囲表示部２８ｂによって表示される。このため、どの方向範囲が指定されたかが分かりやすいので、送風範方向囲をより分かりやすく指定することができる。
【００２３】
前記調節手段２７及び指定手段２８について詳述する。前記調節手段２７は、前記基部２内に設けられた図示しない円環状のスイッチ素子と、このスイッチ素子を操作するための円環状の操作体２７ｄを有する。同様に、前記指定手段２８も、前記基部２内に設けられた図示しない円環状のスイッチ素子と、このスイッチ素子を操作するための円環状の操作体２８ｄを有する。なお、これらの操作体２７ｄ，２８ｄは透光性を有しており、前記基部２のケーシング７内に設けられた表示ＬＥＤ２７ｃ，２８ｃの光を導光して外部に放出するように構成される。そして、前記調節手段２７は、前記表示ＬＥＤ２７ｃに対応させて、ソフトウェア上、周方向に２４のセグメントに分割される。即ち、前記調節手段２７において、１セグメントは１５度の範囲となる。一方、前記指定手段２８は、図７に示すように、前記表示ＬＥＤ２８ｃに対応させて、ソフトウェア上、１６のセグメント（Ｓ０〜Ｓ１５）に分割される。即ち、前記指定手段２８において、１セグメントは２２．５度の範囲となる。これは、表に表すと以下の通りとなる。
【表１】
0006730093.tif 000002
【００２４】
なお、前記位置検知手段１２の回動体１８に設けられたスリット２４，２５及びこれらのスリットが設けられていない箇所、即ちオン部とオフ部は、前記各セグメントＳ０〜Ｓ１５に対応して設けられる。これらのセグメントＳ０〜Ｓ１５とオン部及びオフ部の対応関係は、下表の通りである。
【表２】
0006730093.tif 000003
【００２５】
前記各遮蔽板２１，２２のスリット２４，２５は、一のセグメントと、隣接するセグメントの組み合わせが一意に決まるように設けられる。例えば、Ｓ０からＳ１にかけて前記送風部３が順回転すると、前記第一センサ１９の出力は「ＯＦＦ−ＯＦＦ」となり、前記第二センサ２０の出力は「ＯＮ−ＯＮ」となる。このように、前記第一センサ１９が「ＯＦＦ−ＯＦＦ」と出力し、前記第二センサ２０が「ＯＮ−ＯＮ」と出力する組み合わせとなる場所は、順回転の場合、他にはない。従って、順回転時に前記第一センサ１９が二度目に「ＯＦＦ」を、前記第二センサ２０が二度目に「ＯＮ」を出力した時点で、現在、対応するセグメントがＳ１であることが特定される。同様に、前記第一センサ１９が「ＯＦＦ−ＯＦＦ」と出力し、前記第二センサ２０が「ＯＮ−ＯＦＦ」と出力した場合、各センサ１９，２０が二度目に出力した時点で、現在、対応するセグメントがＳ２であることが特定される。なお、前記送風部３が逆回転する場合も同様であり、一のセグメントと、隣接するセグメントの組み合わせは一意に決まる。そして、二つの前記センサ１９，２０による二度の検知結果は、換言すれば４桁の二進数、即ち十進数の「０〜１５」であり、１６分割された前記セグメントＳ０〜Ｓ１５に１対１で対応させることができる。なお、セグメントの分割数が１６を超えた場合、４桁の二進数では表せなくなるので、３セグメント分動かすか、又はセンサ数を増やすことで対応できる。なお、上記表の二進数表示は、前記第一センサ１９の第一検知結果、第二検知結果、前記第二センサ２０の第一検知結果、第二検知結果の順に並べたものである。このように、少ないセンサ１９，２０で且つ最小限の前記送風部３の回動によって、前記送風部３の現在の方向を特定することができる。
【００２６】
前記支柱４は、中空円筒状に形成される。また、この支柱４の下端部は、前記取付軸１０の上端部に、この取付軸１０と同軸状に固定される。前記腕部５は、後退部２９と、湾曲部３０と、起立部３１とを有して構成される。前記後退部２９は、後方斜め上に伸びて形成される。また、前記起立部３１は、前方斜め上に伸びて形成される。なお、前記湾曲部３０及び起立部３１は、左右一対設けられる。そして、前記支柱４と腕部５の内部には、図示しない電気配線が通される。また、前記腕部５の起立部３１の上端部には、前記送風部本体６が設けられる。この送風部本体６は、ヒンジ部３２と、モータケーシング３３と、ファンモータ３４と、軸流ファン３５と、ガード３６とを有して構成される。前記ヒンジ部３２は、図示しない揺動機構を有し、前記腕部５に対し手動によるチルト動作が可能となるように設けられる。そして、本例では、このヒンジ部３２によって、前記送風部本体６は、仰角４５度から俯角１２度迄の範囲でチルト動作が可能である。また、前記モータケーシング３３は、前記ヒンジ部３２の前側に設けられる。また、前記ファンモータ３４は、前記モータケーシング３３の前方に突出する回転軸３４ａを除いた全体が、前記モータケーシング３３内に設けられる。また、前記軸流ファン３５は、前記ファンモータ３４によって回転させられるように構成される。更に、前記ガード３６は、前記ファン３５の周囲を囲むように設けられる。
【００２７】
なお、前記モータケーシング３３の前側には、小径部３７が形成されており、この小径部３７内に、前記ファンモータ３４の前部が位置する。また、前記軸流ファン３５の中央部には、短円筒状のハブ３８が設けられる。このハブ３８の内径は、前記小径部３７の外径よりもやや大きく形成される。このため、前記回転軸３４ａに前記軸流ファン３５を取り付けると、前記小径部３７は前記ハブ３８の内部に入る。従って、前記ファンモータ３４の一部は、前記軸流ファン３５のハブ３８内に位置する。そして、前記ヒンジ部３２とモータケーシング３３は、前記ガード３６の後部を挟むように配置される。従って、前記ファンモータ３４は、前記ガード３６内に位置する。更に、このガード３６、ひいてはこのガード３６内に配置された前記軸流ファン３５の前後方向中心は、図２に示すように送風方向が水平となる状態において、中心軸線Ａ上に位置する。そして、前述したように、前記ファンモータ３４の一部が前記ハブ３８内に位置すると共に、前記ファンモータ３４全体が前記ガード内に位置し、前記ガード３６の後方に設けられた前記ヒンジ部３２の突出寸法も最小限にすることができることで、前記送風部本体６を前後に薄くすることができるばかりでなく、前記送風部本体６の重心位置が中心軸線Ａに近い位置となる。更に、前記支柱４の中心軸線Ａから前記腕部５の湾曲部３０の後端までの距離Ｚは、前記中心軸線Ａから前記ガード３６の左右端部までの距離Ｘよりも小さい。このため、前記送風部３全体としての重心の中心軸線Ａからのずれを最小限に抑えることができるばかりでなく、ガードが支柱の前方にある一般的な構造の扇風機や、ガードを左右から軸支する扇風機の構造に比べて、前記送風部本体６の回転半径を小さくして、前記送風部３を安定して回転又は往復回動させることができる。また、前記基部２の半径Ｒは、前述の距離Ｘよりも小さい。従って、前記送風部３を回転させたとき、平面視で前記ガード３６の左右両端が描く軌跡の内側に、図示しない電源コードを除く前記扇風機１の全ての要素が位置する。
【００２８】
前記制御回路１７について詳述する。この制御回路１７は、交流電流を直流電流に変換するＡＣ／ＤＣ変換器４１に接続される電源回路４２と、記憶部４４を有するマイクロコンピュータ４３と、双方向無線通信ユニット４５と、ＬＥＤ駆動回路４６，４７と、モータ駆動回路４８，４９を有する。なお、前記双方向無線通信ユニット４５としては、例えばＢｌｕｅｔｏｏｔｈ（登録商標）が用いられる。また、前記ＬＥＤ駆動回路４６は、前記表示ＬＥＤ２７ｃを駆動するためのものである。また、前記ＬＥＤ駆動回路４７は、前記表示ＬＥＤ２８ｃを駆動するためのものである。また、前記モータ駆動回路４８は、前記首振りモータ１３を駆動するためのものである。更に、前記モータ駆動回路４９は、前記ファンモータ３４を駆動するためのものである。そして、前記マイクロコンピュータ４３には、前記第一位置センサ１９、第二位置センサ２０、調節手段２７、指定手段２８、及び方位センサ５０が接続される。
【００２９】
５１はスマートフォンやタブレット端末等の無線情報端末である。この無線情報端末５１には、文字や画像が表示されると共に触れたりなぞったりすることで入力が可能なタッチパネル５２が設けられる。なお、前記無線情報端末５１には、図示しない方位センサ及びＢｌｕｅｔｏｏｔｈ（登録商標）等の双方向無線通信ユニットが内蔵されている。そして、前記無線情報端末５１には、前記扇風機１を操作するためのプログラムが導入される。このプログラムは、前記タッチパネル５２上に、指標５３と操作表示手段５４を表示する。前記指標５３は、前記タッチパネル５２の上部に表示される。一方、前記操作表示手段５４は、前記扇風機１の電源をオン又はオフにさせるために操作される電源アイコン５５と、風量を調節するための調節手段５６と、前記送風部３の方向及び回転又は回動範囲を指定するための指定手段５７とを有する。なお、前記指定手段５７は、前記扇風機１の指定手段２８と同様に、環状に表示される。また、前記指定手段５７は、その周方向に、前記扇風機１の指定手段２８と同数のセグメントに分割される。本例では、前記指定手段５７は、１６のセグメントＳａ〜Ｓｐに分割される。前記指定手段５７のセグメントのうち、最も下方に表示されるセグメントＳａは、他のセグメントＳｂ〜Ｓｐと比較して異なる表示態様とされる。本例では、前記セグメントＳａは、他のセグメントＳｂ〜Ｓｐよりも大きく表示される。なお、前記セグメントＳａの形状或いは色を他のセグメントＳｂ〜Ｓｐと異ならせて表示させてもよい。そして、前記セグメントＳａは、前記指標５３を前記扇風機１に向けた際に、最も使用者側となるセグメントである。
【００３０】
次に、本実施形態の作用について説明する。まず、使用者が、図示しない電源プラグを交流電源に接続すると、図８に示すように、前記風量表示部２７ｂの表示素子である表示ＬＥＤ２７ｃが暗点滅する。同時に、前記制御回路１７が前記首振りモータ１３を作動させて前記送風部３を順方向に回動させ、前記位置検知手段１２によって、前記送風部３が向いている方向を特定する。即ち、前記第一センサ１９が「ＯＦＦ−ＯＦＦ」と出力し、前記第二センサ２０が「ＯＮ−ＯＮ」と出力した場合、前記各センサ１９，２０が二度目に出力した時点で、前記送風部３が方向Ｄ１を向いていることが特定される。同様に、前記第一センサ１９が「ＯＦＦ−ＯＦＦ」と出力し、前記第二センサ２０が「ＯＮ−ＯＦＦ」と出力した場合、各センサ１９，２０が二度目に出力した時点で、前記送風部３が方向Ｄ２を向いていることが特定される。そして、前記制御回路１７のマイクロコンピュータ４３は、前記送風部３の方向を特定した時点で、前記首振りモータ１３の駆動を停止すると共に、前記送風部３の現在の方向を前記記憶部４４に記憶する。
【００３１】
なお、このような前記送風部３の方向を特定するための動作は、電源をオンにした際に行うようにしてもよい。また、前記送風部３の方向を特定するために前記送風部３を２セグメント分順方向に回動させた後、この送風部３をその位置に留めるようにしても、２セグメント分逆方向に回動させて戻すようにしてもよい。
【００３２】
次に、前記電源スイッチ２７ａを兼ねる調節手段２７に触れて軽く押すことで、前記扇風機１は電源がオンになる。なお、前記電源スイッチ２７ａ兼調節手段２７は、円環状の前記操作体２７ｄのどこを押してもよい。そして、前記扇風機１の電源がオンになると、前記制御回路１７は、前記風量表示部２７ｂの暗点滅を終了させ、初期設定値の風量表示で前記表示ＬＥＤ２７ｃを点灯させると共に、前記ファンモータ２４に電流を供給することで、前記軸流ファン３５を回転させ、風を発生させる。なお、本例の場合、設定風量は１０段階であり、設定風量の初期値は５である。また、設定風量は、前記表示ＬＥＤ２７ｃの点灯数によって表現される。点灯する表示ＬＥＤ２７ｃの数は、下表の通りである。
【表３】
0006730093.tif 000004
【００３３】
即ち、最小風量時には、図１３に示すように、前記風量表示部２７ｂの表示ＬＥＤ２７ｃの点灯数は４である。一方、最大風量時には、図１４に示すように、前記風量表示部２７ｂの表示ＬＥＤ２７ｃの点灯数は２２である。これらの表示ＬＥＤ２７ｃは円環状に配列されているので、これらの表示ＬＥＤ２７ｃの点灯数は、即ち円弧の長さとなる。そして、点灯する前記表示ＬＥＤ２７ｃは、風量が変更されない限り、数を保ったまま、即ち弧の長さを保ったまま、順方向に回転する。例えば、風量が初期設定値の場合、点灯する表示ＬＥＤ２７ｃは１２である。そして、これらの点灯している表示ＬＥＤ２７ｃのうち、順方向後端の表示ＬＥＤ２７ｃが消灯すると同時に、順方向前端の表示ＬＥＤ２７ｃの先に隣接する表示ＬＥＤ２７ｃが点灯する。これを繰り返すことで、図９から図１２に示すように、前記風量表示部２７ｂの発光表示は順方向に回転する。
【００３４】
このような表示がされることで、前記風量表示部２７ｂは、あらゆる方向へ同じように風量を表示することができる。即ち、従来の表示部が固定された構造では、ある方向からしか風量表示を見ることができないか、又は見づらいものとなっていた。しかしながら、本発明の構造では、所定の時間で表示が一周するので、前記扇風機１の前後左右の区別なく、あらゆる方向から前記風量表示部２７ｂの表示を見ることができる。
【００３５】
前記制御回路１７から前記ファンモータ３４への電力供給は、前記スリップリング１６と、前記支柱４及び腕部５の内部に通された図示しないリード線を介して行われる。このように、前記基部３の制御回路１７から前記送風部３のファンモータ３４への電力供給が、前記スリップリング１６を介して行われることで、前記送風部３が前記基部２に対して３６０度を遙かに超えて回転しても、前記制御回路１７から前記ファンモータ３４に電力を安全に供給し続けることができる。
【００３６】
なお、前記電源スイッチ２７ａを特殊操作、例えば三度押しすることで、チャイルドロック状態とすることができる。そして、チャイルドロック状態では、前記扇風機１の本体による操作は、チャイルドロック解除のための特殊操作を除いて、前記前記電源スイッチ２７ａ兼調節手段２７の操作による電源オフのみが可能となる。なお、チャイルドロック状態の解除は、前記電源スイッチ２７ａの特殊操作により行われる。
【００３７】
風量の調節は、前記調節手段２７の操作により行われる。具体的に述べると、指で前記調節手段２７の操作体２７ｄをなぞる距離と方向によって、前記制御回路１７が前記ファンモータ３４を制御する。更に詳述すると、前記調節手段２７の２４セグメントのうち、最初に触れた２セグメントにおいて、前記制御回路１７は、指が順方向になぞられたのか逆方向になぞられたのかを判断する。即ち、最初に触れたセグメントと、次に触れたセグメントが、順方向の位置関係か逆方向の位置関係かを判断する。前記操作体２７ｄが順方向になぞられたと判断された場合、前記制御回路１７は、風量を増加させるように前記ファンモータ３４を制御する。逆に、前記操作体２７ｄが逆方向になぞられたと判断された場合、前記制御回路１７は、風量を減少させるように前記ファンモータ３４を制御する。そして、最初の方向判定後に、何セグメント分なぞられたかを検知する。本例の場合、１セグメント分の指の移動につき、風量設定を１段階分変化させる。なお、本例の場合、方向検知のために触れた２セグメント目を、風量設定の１段階分とする。例えば、最小風量状態から最大風量状態まで変化させる場合について述べる。この場合、風量を９段階増加させることになる。この際、使用者は、前記操作体２７ｄを１０セグメント分、角度にして１５０度、指でなぞる。内訳は、指でなぞる方向を検知するため及び風量の最初の１段階増加のために２セグメント使用され、残りの８段階の風量増加のために８セグメント使用される。なお、１０セグメント（１５０度）を超えて指でなぞっても、前記制御回路１７は、１１セグメント以降を無視する。また、例えば、現在風量が５段階目であり、最大風量まで増加させる場合も、前記制御回路１７は、６セグメント（９０度）を超えた分を無視する。風量を減少させるように操作する場合も、同様である。
【００３８】
風量調節のために前記操作体２７ｄを指でなぞる場合、始点は円環状の前記操作体２７ｄのどこであってもよい。即ち、単純に、指でなぞる方向となぞる距離さえ判断されれば、風量を調節することができる。従って、前記扇風機１のどの方向からでも、同じように且つ直感的に風量を調節することができる。また、本例においては、前記操作体２７ｄを指でなぞる方向となぞる距離によって、風量を調節できるようにしたが、前記操作体２７ｄを指でなぞる方向となぞる回数によって、風量を調節できるようにしてもよい。
【００３９】
前記送風部３の方向を変更する場合について説明する。前記送風部３の向いている方向は、前記指定手段２８によって直接指定する方法と、前記送風部３の回転又は回動の途中で回転又は回動を停止させる方法とで、Ｄ０からＤ１５の何れかを選択することができる。そして、それらの何れの方法で指定した場合でも、前記送風部３の向いている方向は特定される。前者の方法では、前記指定手段２８によって直接指定されるので、明白である。後者の方法では、前記送風部３がステッピングモータである前記首振りモータ１３によって駆動されるので、特定することができる。即ち、前記送風部３を１セグメント分の角度動かすために前記首振りモータ１３に供給する必要があるパルス数Ｎと、基準位置から現在位置まで送風部を回転又は回動させた際に要したパルス数（但し、順方向に回転又は回動させた場合のパルス数をプラス、逆方向に回転又は回動させた場合のパルス数をマイナスとする）から、特定することができる。例えば、前記送風部３が首振り範囲の端部に対応する方向Ｄ３を向いている状態から、順方向に３Ｎのパルスが前記首振りモータ１３に供給された後、前記送風部３の回動を停止させると、この送風部３が向いている方向は、最初の方向Ｄ３（セグメントＳ３）に対し、順方向に３セグメント分動かした位置であるセグメントＳ６の対応方向Ｄ６であることが特定される。前記送風部３の方向が変更されると、この送風部３の現在方向の情報が、前記記憶部４４に記憶される。このようにして、前記送風部３が向いている方向がＤ０からＤ１５の何れであるかが特定され、記憶される。なお、前記送風部３の方向は、前記首振りモータ１３に供給される電流のパルス数で制御されるが、前記位置検知手段１２によって補正される。このように、前記位置検知手段１２によって補正されることで、前記送風部３の回転又は回動を正確に制御することができる。
【００４０】
前記送風部３の方向を前記指定手段２８によって直接指定する方法について、更に詳述する。前記送風部３が回転又は回動していない状態で、使用者は、円環状の前記指定手段２８の操作体２８ｄにおける任意の位置に触れ、軽く押す。上述したように、前記指定手段２８のセグメントが直接指定されるので、目的位置となるセグメントは特定される。また、現在の前記送風部３の方向が、前記記憶部４４に記憶されているので、現在位置となるセグメントも特定される。そして、前記制御回路１７は、前記中心軸線Ａを中心とした出発セグメントと目的セグメントのなす角度が、順回転と逆回転のどちらで小さくなるかを算出し、角度が小さくなる回りで前記首振りモータ１３を駆動することで、前記送風部３を回動させる。例えば、図１５に示すように、現在の前記送風部３の方向Ｄ０に対応する出発セグメントがＳ０であり、目的セグメントとしてＳ７を指定した場合、前記送風部３を逆方向に２０２．５度回転させるのではなく、順方向に１５７．５度回転させる。なお、目的セグメントが出発セグメントの正反対である場合、どちらの方向に前記送風部３を回動させても構わないが、本例では、最後に回転又は回動を停止させた時の前記送風部３の回転又は回動方向を記憶させ、この方向を採用する。
【００４１】
このように、前記送風部３の方向を指定したときに、出発セグメントと目的セグメントの関係から、順方向回動と逆方向回動のどちらの角度が小さくなるかを算出して、角度が小さくなる回り、即ち出発セグメントと目的セグメントの角度距離が小さくなる回りで前記送風部３を回転させることで、短時間で前記送風部３を所望の方向に向けることができるばかりでなく、前記送風部３を回動させる際の無駄な電力を削減することができる。
【００４２】
なお、前記送風部３を指定された方向まで回動させる際の回動角速度は、後述する送風時の回転角速度又は回動角速度よりも速い。しかしながら、前述したように、前記送風部３全体としての重心の中心軸線Ａからのずれが最小限に抑えられているばかりでなく、前記支柱３を固定した前記取付軸１０が、上下に距離を隔てて設けられた一対の前記ベアリング８，９によって軸支されることで、前記送風部３をふらつかせずに安定して滑らかに回動させることができる。
【００４３】
前記送風部３を回転又は回動させながら送風する場合について説明する。使用者が前記指定手段２８を指でなぞることで、前記送風部３による送風範囲を指定することができる。例えば、図１６に示すように、使用者が前記指定手段２８のうち、Ｓ１からＳ４までを指でなぞって送風範囲を指定すれば、指定されたセグメントＳ１〜Ｓ４の表示ＬＥＤ２８ｃが点灯し、方向Ｄ１から方向Ｄ４までに該当する６７．５度の範囲が一つの指定範囲Ｆ１となる。このように、前記支柱４を中心として円環状に形成された前記指定手段２８の操作体２８ｄを指でなぞることで、直感的に送風範囲を指定することができる。範囲指定時に、前記送風部３の方向が前記指定範囲Ｆ１の範囲内にあれば、前記制御回路１７は、前記送風部３を、そのまま方向Ｄ１からＤ４の間で往復回動させる。一方、範囲指定時に、前記送風部３の方向が前記指定範囲Ｆ１の範囲外にあれば、前記制御回路１７は、前記送風部３の方向が方向Ｄ１又はＤ４となるまで前記送風部３を回動させた後、方向Ｄ１からＤ４の間で往復回動させる。前記送風部３の最初の方向から方向Ｄ１又はＤ４まで回動させる際の前記送風部３の回動角速度は、方向Ｄ１からＤ４の間で往復回動させる際の前記送風部３の回動角速度よりも速い。このように、１５セグメント分以下の指定範囲Ｆ１が一つだけ指定されている場合、前記制御回路１７は前記送風部３を往復回動させる。なお、図１７に示すように、一つの指定範囲Ｆ１が１６セグメント分（即ち全周）に渡って指定されている場合、前記制御回路１７は前記送風部３を順方向に回転させる。
【００４４】
また、送風範囲は、複数指定することもできる。例えば、図１８に示すように、前記指定手段２８のセグメントＳ１からＳ４までを指でなぞって指定範囲Ｆ１を指定した後、指定手段２８のセグメントＳ７からＳ９までを指でなぞって指定範囲Ｆ２を指定することができる。この場合、指定されたセグメントＳ１〜Ｓ４の表示ＬＥＤ２８ｃの他に、指定されたセグメントＳ７〜Ｓ９の表示ＬＥＤ２８ｃが点灯する。この際、指定範囲Ｆ１とＦ２の間に、それぞれ非指定範囲Ｂ１，Ｂ２が生ずる。この場合、セグメントＳ４の方向Ｄ４からセグメントＳ７の方向Ｄ７までが非指定範囲Ｂ１、セグメントＳ９の方向Ｄ９からセグメントＳ１の方向Ｄ４までが非指定範囲Ｂ２となる。
【００４５】
そして、指定された送風範囲の条件によって、前記制御回路１７は前記送風部３を回転又は回動させる。具体的には、指定範囲が複数で、且つ非指定範囲のうち最も大きな角度を有する非指定範囲Ｂmaxの角度を３６０度から引いた値が１８０度よりも大きな場合、前記制御回路１７は前記送風部３を回転させる。一方、指定範囲が複数で、且つ非指定範囲のうち最も大きな角度を有する非指定範囲Ｂmaxの角度を３６０度から引いた値が１８０度以下の場合、前記制御回路１７は前記送風部３を往復回動させる。図１８の場合、非指定範囲Ｂ１とＢ２を比較すると、Ｂ１が６７．５度、Ｂ２が１８０度であることから、Ｂ２＝Ｂmaxであり、３６０度から１８０度を引いた値が１８０度となるので、前記制御回路１７は前記送風部３を往復回動させる。一方、図１９に示すように、Ｓ０からＳ４までをＦ１、Ｓ７からＳ１０までをＦ２として指定した場合、Ｂ１が６７．５度、Ｂ２が１３５度であることから、Ｂ２＝Ｂmaxであり、３６０度から１３５度を引いた値が２２５度となるので、前記制御回路１７は前記送風部３を回転させる。整理すると、表のようになる。
【表４】
0006730093.tif 000005
【００４６】
図１８の場合、前記制御回路１７は、前記送風部３の方向が方向Ｄ１から方向Ｄ４になるまで、前記送風部３を低速で順方向に回動させるように、前記首振りモータ１３を駆動する。次に、前記制御回路１７は、前記送風部３の方向が方向Ｄ４から方向Ｄ７になるまで、前記送風部３を高速で順方向に回動させるように、前記首振りモータ１３を駆動する。次に、前記制御回路１７は、前記送風部３の方向が方向Ｄ７から方向Ｄ９になるまで、前記送風部３が低速で順方向に回動させるように、前記首振りモータ１３を駆動する。次に、前記制御回路１７は、前記送風部３の方向が方向Ｄ９から方向Ｄ７になるまで、前記送風部３が低速で逆方向に回動させるように、前記首振りモータ１３を駆動する。次に、前記制御回路１７は、前記送風部３の方向が方向Ｄ７から方向Ｄ４になるまで、前記送風部３が高速で逆方向に回動させるように、前記首振りモータ１３を駆動する。更に、前記制御回路１７は、前記送風部３の方向が方向Ｄ４から方向Ｄ１になるまで、前記送風部３が低速で逆方向に回動させるように、前記首振りモータ１３を駆動する。これらの一連の動作を繰り返すことで、前記送風部３は、非指定範囲Ｂ１での高速回動を挟んで、方向Ｄ１から方向Ｄ９の範囲で往復回動する。なお、このように前記送風部３が往復回動する間、前記軸流ファン３５は、指定範囲Ｆ１，Ｆ２及び非指定範囲Ｂ１の区別なく、回転（即ち送風）し続ける。
【００４７】
一方、図１９の場合、前記制御回路１７は、前記送風部３の方向が方向Ｄ０から方向Ｄ４になるまで、前記送風部３を低速で順方向に回動させるように、前記首振りモータ１３を駆動する。次に、前記制御回路１７は、前記送風部３の方向が方向Ｄ４から方向Ｄ７になるまで、前記送風部３を高速で順方向に回動させるように、前記首振りモータ１３を駆動する。次に、前記制御回路１７は、前記送風部３の方向が方向Ｄ７から方向Ｄ１０になるまで、前記送風部３が低速で順方向に回動させるように、前記首振りモータ１３を駆動する。更に、前記制御回路１７は、前記送風部３の方向が方向Ｄ１０から方向Ｄ０になるまで、前記送風部３が高速で順方向に回動させるように、前記首振りモータ１３を駆動する。これらの一連の動作を繰り返すことで、前記送風部３は、非指定範囲Ｂ１及びＢ２での高速回動を挟んで、順方向に回転する。なお、このように前記送風部３が回転する間、前記軸流ファン３５は、指定範囲Ｆ１，Ｆ２及び非指定範囲Ｂ１，Ｂ２の区別なく、回転（即ち送風）し続ける。
【００４８】
なお、指定範囲を複数指定する場合、前記送風部３を一方向に回転させるか往復回動させるかによらず、非指定範囲における前記送風部３の回転角速度又は回動角速度は、指定範囲における回転角速度又は回動角速度よりも速い。具体的には、非指定範囲における回転角速度又は回動角速度は、指定範囲における回転角速度又は回動角速度の倍である。このように、非指定範囲における前記送風部３の回転角速度又は回動角速度を指定範囲における前記送風部３の回転角速度又は回動角速度よりも速くすることで、前記送風部３が風を送りたい範囲以外を向いている時間を短くし、風を送りたい範囲に重点的に風を送ることができる。
【００４９】
指定範囲の条件によって、前記送風部３を回転させるか往復回動させるかを切り換える理由は、以下の通りである。即ち、１８０度より広い範囲に風を送る場合、或いは全周が指定範囲となっている場合は、部屋の中心に設置して部屋全体に風を送ることが考えられる。このような場合、所定の方向に等時間隔で風が送られるよう、前記制御回路１７は、前記送風部３を回転させる。一方、１８０度以下の範囲に風を送る場合は、前記扇風機３が壁に近接した位置に置かれていることが考えられる。このような場合、壁に風を送るのは無駄になるので、前記制御回路１７は、前記送風部３を往復回動させる。また、指定範囲が一つで且つ１８０度より大きな場合、非指定範囲Ｂには風を送りたくないという使用者の意図が見られる。何故なら、指定範囲が複数の場合、前記送風部３は短時間であっても必ず非指定範囲に送風するからである。従って、この場合、指定範囲のみで送風が行われるよう、前記制御回路１７は前記送風部３を往復回動させる。
【００５０】
指定範囲は解除することができる。例えば、図１８において、指定範囲Ｆ２に該当するセグメントＳ７〜Ｓ９を長押しすることで、指定範囲Ｆ２は解除され、指定範囲Ｆ１のみが指定された図１７の状態となる。この際、長押しするセグメントは、Ｓ７，Ｓ８，Ｓ９のどれでもよい。なお、前記送風部３の方向が指定範囲Ｆ１内にあれば、前記制御回路１７は前記送風部３をそのまま指定範囲Ｆ１内で往復回動させる。一方、前記送風部３の方向が指定範囲Ｆ１外にあれば、前記制御回路１７は前記送風部３を高速で指定範囲Ｆ１まで回動させた後、指定範囲Ｆ１内で往復回動させる。なお、指定範囲を解除することで、前記制御回路１７は、前記送風部３を下表の通り動作させる。
【表５】
0006730093.tif 000006
【００５１】
なお、前述したように、前記送風部３全体としての重心の中心軸線Ａからのずれが最小限に抑えられているばかりでなく、前記支柱３を固定した前記取付軸１０が、上下に距離を隔てて設けられた一対の前記ベアリング８，９によって垂直に軸支されることで、前記送風部３をふらつかせずに安定して滑らかに回転又は往復回動させることができる。
【００５２】
なお、前記指定手段２８の操作体２８ｄをなぞる方向と、前記送風部３を回転させる方向を一致させることができる。即ち、使用者が前記指定手段２８を指で順方向になぞって送風範囲を指定することで、前記制御回路１７は、前記送風部３を順方向に回転させることができる。一方、使用者が前記指定手段２８を指で逆方向になぞって送風範囲を指定することで、前記制御回路１７は、前記送風部３を逆方向に回転させることができる。このようにすることで、使用者は、前記送風部３の回転方向を直感的に且つ容易に選択することができる。
【００５３】
また、上述した通り、ステッピングモータである前記首振りモータ１３へ供給された電流のパルス数と前記位置検知手段１２により、前記送風部３が向いている方向は特定される。そして、特定された方向に基づいて、前記送風部３が向いている方向を、前記範囲表示部２８ｂに表示することができる。なお、前記範囲表示部２８ｂで表示させる表示ＬＥＤ２８ｃは、１セグメント分（３個）まとめてであっても、一つずつであってもよい。前記送風部３の方向を表示する方法は、幾つか考えられる。一つは、前記送風部３が向いている方向に該当するセグメントの表示ＬＥＤ２８ｃを点滅させることである。一つは、指定範囲においては、点灯している表示ＬＥＤ２８ｃのうち、前記送風部３が向いている方向に該当するセグメントの表示ＬＥＤ２８ｃを消灯させ、非指定範囲においては、消灯している表示ＬＥＤ２８ｃのうち、前記送風部３が向いている方向に該当するセグメントの表示ＬＥＤ２８ｃを点灯させることである。一つは、前記範囲表示部２８ｂの表示ＬＥＤ２８ｃを多色ＬＥＤとし、指定範囲を表示する色とは異なる色で、前記送風部３が向いている方向に該当するセグメントの表示ＬＥＤ２８ｃを点灯させることである。
【００５４】
前記ファン３５を停止させる場合は、前記電源スイッチ２７ａを兼ねる前記調節手段２７に触れて、なぞることなく１秒間押し続ける。これによって、前記ファン３５が停止し、前記扇風機１の電源がオフになる。なお、前記扇風機１の電源をオフにする直前の設定、即ち、前記送風部３の方向又は指定範囲及び風量は、前記制御回路１７の記憶部４４に記憶されており、図示しない電源プラグを抜いたり停電したりしない限り維持される。そして、再び前記電源スイッチ２７ａを兼ねる前記調節手段２７に触れて押すことで、再び前記扇風機１の電源がオンになる。この際、前記制御回路１７の記憶部４４に記憶された設定に基づいて、前記制御回路１７は前記ファンモータ３４及び首振りモータ１３を駆動する。
【００５５】
次に、前記無線情報端末５１を用いて遠隔操作を行う場合について説明する。まず、使用者は、前記無線情報端末５１を操作して、前記扇風機１を操作するためのプログラムを起動する。このプログラムが起動すると、前記タッチパネル５２上に、前記指標５３及び操作表示手段５４が表示される。なお、前記プログラムの起動は、前記電源スイッチ２７ａを操作して前記扇風機１の電源をオンにした後でもよい。そして、前記タッチパネル５２に表示された前記操作表示手段５４の電源アイコン５５をタッチすることで、前記扇風機１の電源をオンにしたりオフにしたりすることができる。また、前記調節手段５６を操作することで、前記ファンモータ３４の回転速度、即ち風量を調節することができる。
【００５６】
前記電源スイッチ２７ａ又は電源アイコン５５の操作により、前記扇風機１の電源がオンになると、この扇風機１の制御回路１７のマイクロコンピュータ４３は、前記方位センサ５０からの方位情報に基づいて、方向Ｄ０〜Ｄ１５がそれぞれ北方向に対し何度ずれているかを算出する。なお、方向Ｄ０〜Ｄ１５の何れかが北方向と一致する場合、ずれ角度は２２．５度の倍数である。本例の場合、説明の容易化のため、図２１に示すように、セグメントＳ８に対応する方向Ｄ８が北方向と一致しているとする。そして、前記扇風機１の制御回路１７のマイクロコンピュータ４３は、算出されたずれ角度を、前記双方向無線通信ユニット４５を用いて前記無線情報端末５１に送信する。また、前述したように、前記送風部３の方向は特定されているので、この送風部３の方向も、前記双方向無線通信ユニット４５を用いて前記無線情報端末５１に送信する。本例の場合、図２１に示すように、前記送風部３の方向は、前記セグメントＳ１４に対応する方向Ｄ１４である。
【００５７】
前記無線情報端末５１は、図示しない双方向無線通信ユニットを用いて、前記扇風機１から送信された北方向からのずれ角度及び前記送風部３の方向を受信し、記憶する。このずれ角度と前記無線情報端末５１の図示しない方位センサからの方位情報に基づいて、前記無線情報端末５１は、前記タッチパネル５２に表示される前記指定手段５７の各セグメントＳａ〜Ｓｐが、前記扇風機１の指定手段２８における各セグメントＳ０〜Ｓ１５の何れに対応するかを関連付ける。即ち、図２１の場合、環状の前記指定手段５７の中心を基準として、北方向にあるセグメントが、前記本体１の指定手段２８のセグメントＳ８に対応することが関連付けられると共に、Ｓ８以外のセグメントに関連付けられる前記指定手段５７のセグメントも決定する。また、前記扇風機１の送風部３の方向Ｄ１４に対応する前記セグメントＳ１４に関連付けられる前記指定手段５７のセグメントは、前記指定手段５７の他のセグメントとは異なる表示態様とされる。例えば、前記扇風機１の送風部３のセグメントＳ１４に関連付けられる前記指定手段５７のセグメントを、前記指定手段５７の他のセグメントとは異なる色や明るさで表示したり、点滅させたりする。このように、前記送風部３の方向に対応する前記指定手段２８のセグメントに関連付けられる前記指定手段５７のセグメントの表示態様を、前記指定手段５７の他のセグメントと異ならせることで、前記送風部３の方向を前記無線情報端末５１のタッチパネル５２上で確認することができるので、前記扇風機１をより簡単に操作することができる。
【００５８】
前記扇風機１の指定手段２８のセグメントＳ０〜Ｓ１５と、前記無線情報端末５１の指定手段５７のセグメントＳａ〜Ｓｐの対応関係は、前記無線情報端末５１の姿勢によって変化する。なお、前記扇風機１の指定手段２８のセグメントＳ０〜Ｓ１５と、前記無線情報端末５１の指定手段５７のセグメントＳａ〜Ｓｐの対応関係は、前記基部２が動かされることでも変化する。前記無線情報端末５１の姿勢が変わる場合について、図２１乃至図２４に基づいて説明すると、図２１の（α）に示すように、前記無線情報端末５１を前記送風部３の正面に持ってきて、前記指標５３を前記扇風機１に向けると、前記指定手段２８のセグメントＳ８及びＳ１４に対応する前記指定手段５７のセグメントは、それぞれＳｋ，Ｓａとなる。一方、図２１の（β）に示すように、前記無線情報端末５１を前記扇風機１の方向Ｄ０に持ってきて、前記指標５３を前記扇風機１に向けると、前記指定手段２８のセグメントＳ８及びＳ１４に対応する前記指定手段５７のセグメントは、それぞれＳｉ，Ｓｏとなる。また、図２１の（γ）に示すように、前記無線情報端末５１を前記扇風機１の方向Ｄ１２に持ってきて、前記指標５３を前記扇風機１に向けると、前記指定手段２８のセグメントＳ８及びＳ１４に対応する前記指定手段５７のセグメントは、それぞれＳｍ，Ｓｃとなる。これをまとめると、表６のようになる。
【表６】
0006730093.tif 000007
【００５９】
このようにして、前記扇風機１の指定手段２８のセグメントＳ０〜Ｓ１５と、前記無線情報端末５１の指定手段５７のセグメントＳａ〜Ｓｐは、１対１で対応するように関連付けられ、前記無線情報端末５１の姿勢が変化しても、基準方向情報に基づいて関連付けが変更される。換言すると、前記無線情報端末５１の姿勢が変化すると、この無線情報端末５１のタッチパネル５２を基準とした、前記セグメントＳａ〜ＳｐとセグメントＳ０〜Ｓ１５の対応関係が変化するものの、送風システム全体の系として見た場合、前記指定手段５７のセグメントＳａ〜Ｓｐの方が変化し、これに関連付けられる前記セグメントＳ０〜Ｓ１５の位置は変化していないとも言える。これは、無線情報端末５１で方位磁針プログラムを実行した場合に、無線情報端末５１の向きを変えると、前記タッチパネル５２に対する磁針の向きが変わるが、磁針の指す方向自体が変わっていないことと同等である。従って、前記指定手段２８のセグメントと前記指定手段５７のセグメントＳａ〜Ｓｐに関連付けられる前記セグメントＳ０〜Ｓ１５の位置関係は、セグメントＳａ〜Ｓｐの粗さによるずれがあるものの、実用上変化しない。従って、前記指定手段５７は、前記指定手段２８と全く同様に操作することができる。即ち、使用者が前記指定手段５７の任意のセグメントを指でタッチすることで、前記送風部３は中心軸線Ａ回りに回動し、タッチされた前記指定手段５７のセグメントに関連付けられた前記指定手段２８のセグメントに対応する方向を向く。また、使用者が前記指定手段５７の任意の複数のセグメントを、前記指定手段５７に沿って周方向に指でなぞることで、前記送風部３は、なぞられた前記指定手段５７の複数のセグメントに関連付けられた前記指定手段２８の複数のセグメントの範囲で、前記中心軸線Ａ回りに回動又は回転する。
【００６０】
図２１〜図２４を見れば分かるように、前記送風部３が前記無線情報端末５１、ひいてはそれを持っている使用者の方向を向いている状態において、前記操作表示手段５４の指定手段５７の中心を基準として前記指標５３とは正反対に位置するセグメントＳａが、前記送風部３の方向Ｄ１４に対応するセグメントＳ１４に対応している。従って、前記指標５３を前記扇風機１に向けた状態で、前記指定手段５７のセグメントＳａをタッチすることで、前記送風部３を前記無線情報端末５１、ひいてはそれを持っている使用者の方に向けることができる。なお、（β）の位置において、（α）の姿勢で前記指定手段５７のセグメントＳｃをタッチすることで、前記送風部３を前記無線情報端末５１の方に向けることも可能ではある。しかしながら、このように操作すると、誤って隣のセグメントＳｂ又はＳｄをタッチしてしまう虞がある。このため、前記指標５３を前記扇風機１に向け、他のセグメントとは異なる表示態様となっているセグメントＳａをタッチすることで、前記送風部３を確実に前記無線情報端末５１、ひいてはそれを持っている使用者の方に向けることができる。従って、図２１の（β）の状態で、セグメントＳａをタッチすれば、前記指定手段２８のセグメントＳ１４に関連付けられた前記指定手段５７のセグメントがＳｏであり、セグメントＳａがセグメントＳｏに対し順方向に２セグメント（４５度）回動させた位置であることから、前記制御回路１７が前記首振りモータ１３を作動させて、前記送風部３を中心軸線Ａ回りに順方向に２セグメント回動させることで、前記送風部３を前記無線情報端末５１、ひいてはそれを持っている使用者の方に向けることができる。一方、図２１の（γ）の状態で、セグメントＳａをタッチすれば、前記指定手段２８のセグメントＳ１４に関連付けられた前記指定手段５７のセグメントがＳｃであり、セグメントＳａがセグメントＳｃに対し逆方向に２セグメント（４５度）回動させた位置であることから、前記制御回路１７が前記首振りモータ１３を作動させて、前記送風部３を中心軸線Ａ回りに逆方向に２セグメント回動させることで、前記送風部３を前記無線情報端末５１、ひいてはそれを持っている使用者の方に向けることができる。
【００６１】
なお、前述したように、前記セグメントＳ０〜Ｓ１５は、前記指定手段２８の操作上の区切りであるが、前記扇風機１の制御プログラム内に存在する、前記送風部３を中心軸線Ａ回りに回転又は回動させる際の制御上の区切りでもある。そして、前記指定手段２８の操作上の区切りとしての前記セグメントＳ０〜Ｓ１５は、制御上の区切りとしての前記セグメントＳ０〜Ｓ１５と、完全に１対１で対応する。従って、前記扇風機１の制御上の区切りであるセグメントＳ０〜Ｓ１５と、前記無線情報端末５１の指定手段５７のセグメントＳａ〜Ｓｐを、１対１で対応するように関連付けることもできる。この場合、前記扇風機１に指定手段２８を設けず、前記無線情報端末５１のタッチパネル５２に表示される前記操作表示手段５４のみによって、前記扇風機１を操作することができる。
【００６２】
以上のように本発明の送風システムは、送風装置としての扇風機１と遠隔操作装置としての無線情報端末５１からなる送風システムであって、前記扇風機１が、基部２と、基部２に対して回転又は往復回動可能に設けられると共に軸流ファン３５及びファンモータ３４が設けられる送風部３と、基部２に対して送風部３を回転又は往復回動させる首振りモータ１３と、ファンモータ３４及び首振りモータ１３を制御する制御部としてのマイクロコンピュータ４３と、無線情報端末５１からのデータを受信する双方向無線通信ユニット４５とを有し、前記無線情報端末５１が、タッチパネル５２及び図示しない方位センサ及び双方向通信手段を有し、前記無線情報端末５１に前記扇風機１を制御するプログラムが導入され、前記扇風機１に方位センサ５０が設けられ、前記扇風機１の方位センサ５０の出力した方位情報と前記無線情報端末５１の方位センサが出力した方位情報とが、前記扇風機１と無線情報端末５１との共通の基準方向情報とされ、前記プログラムが、前記扇風機１からの情報を受信して前記送風部３の方向及び送風範囲を表示すると共に、前記無線情報端末５１の操作により前記送風部３の方向及び送風範囲を指定する操作表示手段５４を有することで、前記無線情報端末５１の姿勢が変化しても、送風システム全体の系として見た、前記指定手段２８のセグメントと前記指定手段５７のセグメントＳａ〜Ｓｐに関連付けられる前記セグメントＳ０〜Ｓ１５の位置関係が実用上変化せず、前記送風部３の方向及び送風範囲が前記タッチパネル５２に表示され続けるので、前記指定手段５７を用いて前記扇風機１を容易且つ直感的に操作することができるものである。
【００６３】
また、本発明の送風システムは、前記操作表示手段５４の指定手段５７が環状とされたことで、遠隔操作による送風方向及び送風範囲の指定を直感的に且つ容易に行うことができるものである。
【００６４】
更に、本発明の送風システムは、前記送風部３の向いている方向に対応する前記操作表示手段５４の指定手段５７のセグメントが、それ以外のセグメントと異なる表示態様とされることで、遠隔操作による送風方向及び送風範囲の指定をより直感的に且つ容易に行うことができるものである。
【００６５】
次に、本発明の第二の実施形態について、図２５乃至図２８に基づいて説明する。なお、この実施形態において、送風装置としての扇風機１及び遠隔操作装置としての無線情報端末５１は、上記第一の実施形態におけるそれらと全く同じ構造であり、前記遠隔操作装置５１に導入されるプログラムにより表示される操作表示手段６４のみが異なる。従って、前記扇風機１に関する説明は省略する。
【００６６】
５１はスマートフォン等の無線情報端末である。この無線情報端末５１には、文字や画像が表示されると共に触れたりなぞったりすることで入力が可能なタッチパネル５２が設けられる。なお、前記無線情報端末５１には、図示しない方位センサ及びＢｌｕｅｔｏｏｔｈ（登録商標）等の双方向無線通信ユニットが内蔵されている。そして、前記無線情報端末５１には、前記扇風機１を操作するためのプログラムが導入される。このプログラムは、前記タッチパネル５２上に、指標５３と操作表示手段６４を表示する。前記指標５３は、前記タッチパネル５２の上部に表示される。一方、前記操作表示手段６４は、前記扇風機１の電源をオン又はオフにさせるために操作される電源アイコン６５を兼ねる方向表示手段６６と、風量を調節するための調節手段５６と、前記送風部３の方向及び回転又は回動範囲を指定するための指定手段６７とを有する。なお、前記指定手段６７は、前記扇風機１の指定手段２８と同様に、環状に表示される。また、前記指定手段６７は、前記方向表示手段６６が中心となるように、この方向表示手段６６を囲んで設けられる。また、前記指定手段６７は、その周方向に、前記扇風機１の指定手段２８と同数のセグメントに分割される。本例では、前記指定手段６７は、１６のセグメントＳａ〜Ｓｐに分割される。前記指定手段６７のセグメントのうち、最も下方に表示されるセグメントＳａは、他のセグメントＳｂ〜Ｓｐと比較して異なる表示態様とされる。本例では、前記セグメントＳａは、他のセグメントＳｂ〜Ｓｐよりも大きく表示される。なお、前記セグメントＳａの形状或いは色を他のセグメントＳｂ〜Ｓｐと異ならせて表示させてもよい。そして、前記セグメントＳａは、前記指標５３を前記扇風機１に向けた際に、最も使用者側となるセグメントである。
【００６７】
前記無線情報端末５１を用いて遠隔操作を行う場合について説明する。まず、使用者は、前記無線情報端末５１を操作して、前記扇風機１を操作するためのプログラムを起動する。このプログラムが起動すると、前記タッチパネル５２上に、前記指標５３及び操作表示手段６４が表示される。なお、前記プログラムの起動は、前記電源スイッチ２７ａを操作して前記扇風機１の電源をオンにした後でもよい。そして、前記タッチパネル５２に表示された前記操作表示手段６４の電源アイコン６５をタッチすることで、前記扇風機１の電源をオンにしたりオフにしたりすることができる。また、前記調節手段５６を操作することで、前記ファンモータ３４の回転速度、即ち風量を調節することができる。
【００６８】
前記電源スイッチ２７ａ又は電源アイコン６５の操作により、前記扇風機１の電源がオンになると、この扇風機１の制御回路１７のマイクロコンピュータ４３は、前記方位センサ５０からの方位情報に基づいて、方向Ｄ０〜Ｄ１５がそれぞれ北方向に対し何度ずれているかを算出する。なお、方向Ｄ０〜Ｄ１５の何れかが北方向と一致する場合、ずれ角度は２２．５度の倍数である。本例の場合、説明の容易化のため、図２５に示すように、セグメントＳ８に対応する方向Ｄ８が北方向と一致しているとする。そして、前記扇風機１の制御回路１７のマイクロコンピュータ４３は、算出されたずれ角度を、前記双方向無線通信ユニット４５を用いて前記無線情報端末５１に送信する。また、前述したように、前記送風部３の方向は特定されているので、この送風部３の方向も、前記双方向無線通信ユニット４５を用いて前記無線情報端末５１に送信する。本例の場合、図２５に示すように、前記送風部３の方向は、前記セグメントＳ１４に対応する方向Ｄ１４である。
【００６９】
前記無線情報端末５１は、図示しない双方向無線通信ユニットを用いて、前記扇風機１から送信された北方向からのずれ角度及び前記送風部３の方向を受信し、記憶する。このずれ角度と前記無線情報端末５１の図示しない方位センサからの方位情報に基づいて、前記無線情報端末５１は、前記タッチパネル５２に表示される前記指定手段６７の各セグメントＳａ〜Ｓｐが、前記扇風機１の指定手段２８における各セグメントＳ０〜Ｓ１５の何れに対応するかを関連付ける。即ち、図２５の場合、環状の前記指定手段６７の中心を基準として、北方向にあるセグメントが、前記本体１の指定手段２８のセグメントＳ８に対応することが関連付けられると共に、Ｓ８以外のセグメントに関連付けられる前記指定手段６７のセグメントも決定する。また、前記扇風機１の送風部３の方向Ｄ１４は、前記方向表示手段６６によって表示される。この方向表示手段６６には、尖端が表示されており、この尖端の方向が前記扇風機１の送風部３の方Ｄ１４である。このように、前記方向表示手段６６によって、前記送風部３の方向を表示することで、前記送風部３の方向を前記無線情報端末５１のタッチパネル５２上で確認することができるので、前記扇風機１をより容易且つ直感的に操作することができる。また、前記方向表示手段６６が前記指定手段６７の中央部に位置することで、前記送風部３の方向と前記指定手段６７のセグメントとの関係が明白になるので、前記扇風機１を更に容易且つ直感的に操作することができる。
【００７０】
前記扇風機１の指定手段２８のセグメントＳ０〜Ｓ１５と、前記無線情報端末５１の指定手段６７のセグメントＳａ〜Ｓｐの対応関係は、前記無線情報端末５１の姿勢によって変化する。なお、前記扇風機１の指定手段２８のセグメントＳ０〜Ｓ１５と、前記無線情報端末５１の指定手段６７のセグメントＳａ〜Ｓｐの対応関係は、前記基部２が動かされることでも変化する。前記無線情報端末５１の姿勢が変わる場合について、図２５乃至図２８に基づいて説明すると、図２５の（α）に示すように、前記無線情報端末５１を前記送風部３の正面に持ってきて、前記指標５３を前記扇風機１に向けると、前記指定手段２８のセグメントＳ８及びＳ１４に対応する前記指定手段６７のセグメントは、それぞれＳｋ，Ｓａとなる。一方、図２５の（β）に示すように、前記無線情報端末５１を前記扇風機１の方向Ｄ０に持ってきて、前記指標５３を前記扇風機１に向けると、前記指定手段２８のセグメントＳ８及びＳ１４に対応する前記指定手段６７のセグメントは、それぞれＳｉ，Ｓｏとなる。また、図２５の（γ）に示すように、前記無線情報端末５１を前記扇風機１の方向Ｄ１２に持ってきて、前記指標５３を前記扇風機１に向けると、前記指定手段２８のセグメントＳ８及びＳ１４に対応する前記指定手段６７のセグメントは、それぞれＳｍ，Ｓｃとなる。
【００７１】
このようにして、前記扇風機１の指定手段２８のセグメントＳ０〜Ｓ１５と、前記無線情報端末５１の指定手段６７のセグメントＳａ〜Ｓｐは、１対１で対応するように関連付けられ、前記無線情報端末５１の姿勢が変化しても、基準方向情報に基づいて関連付けが変更される。換言すると、前記無線情報端末５１の姿勢が変化すると、この無線情報端末５１のタッチパネル５２を基準とした、前記セグメントＳａ〜ＳｐとセグメントＳ０〜Ｓ１５の対応関係が変化するものの、送風システム全体の系として見た場合、前記指定手段５７のセグメントＳａ〜Ｓｐの方が変化し、これに関連付けられる前記セグメントＳ０〜Ｓ１５の位置は変化していないとも言える。従って、前記指定手段２８のセグメントと前記指定手段６７のセグメントＳａ〜Ｓｐに関連付けられる前記セグメントＳ０〜Ｓ１５の位置関係は、このセグメントＳａ〜Ｓｐの粗さによるずれがあるものの、実用上変化しない。従って、前記指定手段６７は、前記指定手段２８と全く同様に操作することができる。即ち、使用者が前記指定手段６７の任意のセグメントを指でタッチすることで、前記送風部３は中心軸線Ａ回りに回動し、タッチされた前記指定手段６７のセグメントに関連付けられた前記指定手段２８のセグメントに対応する方向を向く。また、使用者が前記指定手段６７の任意の複数のセグメントを、前記指定手段６７に沿って周方向に指でなぞることで、前記送風部３は、なぞられた前記指定手段６７の複数のセグメントに関連付けられた前記指定手段２８の複数のセグメントの範囲で、前記中心軸線Ａ回りに回動又は回転する。
【００７２】
図２５〜図２８を見れば分かるように、前記送風部３が前記無線情報端末５１、ひいてはそれを持っている使用者の方向を向いている状態において、前記操作表示手段６４の指定手段６７の中心を基準として前記指標５３とは正反対に位置するセグメントＳａが、前記送風部３の方向Ｄ１４に対応するセグメントＳ１４に対応している。従って、前記指標５３を前記扇風機１に向けた状態で、前記指定手段６７のセグメントＳａをタッチすることで、前記送風部３を前記無線情報端末５１、ひいてはそれを持っている使用者の方に向けることができる。なお、（β）の位置において、（α）の姿勢で前記指定手段６７のセグメントＳｃをタッチすることで、前記送風部３を前記無線情報端末５１の方に向けることも可能ではある。しかしながら、このように操作すると、誤って隣のセグメントＳｂ又はＳｄをタッチしてしまう虞がある。このため、前記指標５３を前記扇風機１に向け、他のセグメントとは異なる表示態様となっているセグメントＳａをタッチすることで、前記送風部３を確実に前記無線情報端末５１、ひいてはそれを持っている使用者の方に向けることができる。従って、図２５の（β）の状態で、セグメントＳａをタッチすれば、前記指定手段２８のセグメントＳ１４に関連付けられた前記指定手段６７のセグメントがＳｏであり、セグメントＳａがセグメントＳｏに対し順方向に２セグメント（４５度）回動させた位置であることから、前記制御回路１７が前記首振りモータ１３を作動させて、前記送風部３を中心軸線Ａ回りに順方向に２セグメント回動させることで、前記送風部３を前記無線情報端末５１、ひいてはそれを持っている使用者の方に向けることができる。一方、図２５の（γ）の状態で、セグメントＳａをタッチすれば、前記指定手段２８のセグメントＳ１４に関連付けられた前記指定手段６７のセグメントがＳｃであり、セグメントＳａがセグメントＳｃに対し逆方向に２セグメント（４５度）回動させた位置であることから、前記制御回路１７が前記首振りモータ１３を作動させて、前記送風部３を中心軸線Ａ回りに逆方向に２セグメント回動させることで、前記送風部３を前記無線情報端末５１、ひいてはそれを持っている使用者の方に向けることができる。
【００７３】
なお、前述したように、前記セグメントＳ０〜Ｓ１５は、前記指定手段２８の操作上の区切りであるが、前記扇風機１の制御プログラム内に存在する、前記送風部３を中心軸線Ａ回りに回転又は回動させる際の制御上の区切りでもある。そして、前記指定手段２８の操作上の区切りとしての前記セグメントＳ０〜Ｓ１５は、制御上の区切りとしての前記セグメントＳ０〜Ｓ１５と、完全に１対１で対応する。従って、前記扇風機１の制御上の区切りであるセグメントＳ０〜Ｓ１５と、前記無線情報端末５１の指定手段６７のセグメントＳａ〜Ｓｐを、１対１で対応するように関連付けることもできる。この場合、前記扇風機１に指定手段２８を設けず、前記無線情報端末５１のタッチパネル５２に表示される前記操作表示手段６４のみによって、前記扇風機１を操作することができる。
【００７４】
以上のように本発明の送風システムは、送風装置としての扇風機１と遠隔操作装置としての無線情報端末５１からなる送風システムであって、前記扇風機１が、基部２と、基部２に対して回転又は往復回動可能に設けられると共に軸流ファン３５及びファンモータ３４が設けられる送風部３と、基部２に対して送風部３を回転又は往復回動させる首振りモータ１３と、ファンモータ３４及び首振りモータ１３を制御する制御部としてのマイクロコンピュータ４３と、無線情報端末５１からのデータを受信する双方向無線通信ユニット４５とを有し、前記無線情報端末５１が、タッチパネル５２及び図示しない方位センサ及び双方向通信手段を有し、前記無線情報端末５１に前記扇風機１を制御するプログラムが導入され、前記扇風機１に方位センサ５０が設けられ、前記扇風機１の方位センサ５０の出力した方位情報と前記無線情報端末５１の方位センサが出力した方位情報とが、前記扇風機１と無線情報端末５１との共通の基準方向情報とされ、前記プログラムが、前記扇風機１からの情報を受信して前記送風部３の方向及び送風範囲を表示すると共に、前記無線情報端末５１の操作により前記送風部３の方向及び送風範囲を指定する操作表示手段６４を有することで、前記無線情報端末５１の姿勢が変化しても、送風システム全体の系として見た、前記指定手段２８のセグメントと前記指定手段６７のセグメントＳａ〜Ｓｐに関連付けられる前記セグメントＳ０〜Ｓ１５の位置関係が実用上変化せず、前記送風部３の方向及び送風範囲が前記タッチパネル５２に表示され続けるので、前記指定手段６７を用いて前記扇風機１を容易且つ直感的に操作することができるものである。
【００７５】
また、本発明の送風システムは、前記操作表示手段６４の指定手段６７が環状とされたことで、遠隔操作による送風方向及び送風範囲の指定を直感的に且つ容易に行うことができるものである。
【００７６】
また、本発明の送風システムは、前記送風部３の方向を表示する方向表示手段６６が設けられることで、遠隔操作による送風方向及び送風範囲の指定をより直感的に且つ容易に行うことができるものである。
【００７７】
更に、本発明の送風システムは、前記方向表示手段６６が前記操作表示手段６４の指定手段６７の中央部に設けられることで、遠隔操作による送風方向及び送風範囲の指定を更に直感的に且つ容易に行うことができるものである。
【００７８】
次に、本発明の第三の実施形態について、図２９乃至図３２に基づいて説明する。なお、この実施形態において、送風装置としての扇風機１は、送風方向の指定範囲が半周である点で上記各実施形態と相違しているが、その他の点について相違しないので、相違点のみ説明する。前記指定手段２８は、ソフトウェア上、９つのセグメント（Ｓ０〜Ｓ４及びＳ１２〜Ｓ１５）に分割されており、これらは、上記各実施形態のセグメント（Ｓ０〜Ｓ４及びＳ１２〜Ｓ１５）に対応する。また、前記送風部３は、方向Ｄ０〜Ｄ４及びＤ１２〜Ｄ１５を向くことが可能である。また、遠隔操作装置としての無線情報端末５１は、上記各実施形態と全く同じ構造であり、前記遠隔操作装置５１に導入されるプログラムにより表示される操作表示手段７４のみが異なる。
【００７９】
５１はスマートフォン等の無線情報端末である。この無線情報端末５１には、文字や画像が表示されると共に触れたりなぞったりすることで入力が可能なタッチパネル５２が設けられる。なお、前記無線情報端末５１には、図示しない方位センサ及びＢｌｕｅｔｏｏｔｈ（登録商標）等の双方向無線通信ユニットが内蔵されている。そして、前記無線情報端末５１には、前記扇風機１を操作するためのプログラムが導入される。このプログラムは、前記タッチパネル５２上に、指標５３と操作表示手段７４を表示する。前記指標５３は、前記タッチパネル５２の上部に表示される。一方、前記操作表示手段７４は、前記扇風機１の電源をオン又はオフにさせるために操作される電源アイコン５５と、風量を調節するための調節手段５６と、前記送風部３の方向及び回転又は回動範囲を指定するための指定手段７７とを有する。なお、前記指定手段７７は環状に表示されるものの、その１６のセグメントのうち７セグメントが無効とされている。その他は、前述した第一の実施形態における指定手段５７と同様である。
【００８０】
前記無線情報端末５１の指定手段７７において無効とされるセグメントは、前記無線情報端末５１の姿勢によって変化する。なお、指定手段７７において無効とされるセグメントは、前記基部２が動かされることでも変化する。前記無線情報端末５１の姿勢が変わる場合について、図２９乃至図３２に基づいて説明すると、図２９の（α）に示すように、前記無線情報端末５１を前記送風部３の正面に持ってきて、前記指標５３を前記扇風機１に向けると、前記指定手段７７は、セグメントＳａ及びこの順方向の６つのセグメントＳｂ〜Ｓｇと、逆方向の２つのセグメントＳｏ，Ｓｐが表示され、セグメントＳｈ〜Ｓｎが表示されないか、又は無効である旨の表示がされる。一方、図２９の（β）に示すように、前記無線情報端末５１を前記扇風機１の方向Ｄ０に持ってきて、前記指標５３を前記扇風機１に向けると、前記指定手段７７は、セグメントＳａ及びこの順方向の４つのセグメントＳｂ〜Ｓｅと、逆方向の４つのセグメントＳｍ〜Ｓｐが表示され、セグメントＳｆ〜Ｓｌが表示されないか、又は無効である旨の表示がされる。また、図２９の（γ）に示すように、前記無線情報端末５１を前記扇風機１の方向Ｄ１２に持ってきて、前記指標５３を前記扇風機１に向けると、前記指定手段７７は、セグメントＳａ及びこの順方向の８つのセグメントＳｂ〜Ｓｉが表示され、セグメントＳｊ〜Ｓｐが表示されないか、又は無効である旨の表示がされる。これらをまとめると、表７のようになる。
【表７】
0006730093.tif 000008
【００８１】
このようにして、前記無線情報端末５１の指定手段７７を構成する１６のセグメントＳａ〜Ｓｐのうち、９つのセグメントは、前記扇風機１の指定手段２８の９つのセグメントと、対応するように関連付けられ、前記無線情報端末５１の姿勢が変化しても、基準方向情報に基づいて、関連付けられる前記指定手段７７のセグメントが変更される。換言すると、前記無線情報端末５１の姿勢が変化すると、この無線情報端末５１のタッチパネル５２を基準とした、表示される或いは有効な前記セグメントＳａ〜Ｓｐが変化するものの、送風システム全体の系として見た場合、前記指定手段７７のセグメントＳａ〜Ｓｐの方が変化し、これに関連付けられる前記セグメントＳ０〜Ｓ１５の位置は変化していないとも言える。従って、前記指定手段２８のセグメントと前記指定手段７７のセグメントＳａ〜Ｓｐに関連付けられる前記セグメントＳ０〜Ｓ１５の位置関係は、前記セグメントＳａ〜Ｓｐの粗さによるずれがあるものの、実用上変化しない。従って、前記指定手段７７は、前記指定手段２８と全く同様に操作することができる。即ち、使用者が前記指定手段７７の有効な任意のセグメントを指でタッチすることで、前記送風部３は中心軸線Ａ回りに回動し、タッチされた前記指定手段７７のセグメントに関連付けられた前記指定手段２８のセグメントに対応する方向を向く。また、使用者が前記指定手段７７の有効な任意の複数のセグメントを、前記指定手段７７に沿って周方向に指でなぞることで、前記送風部３は、なぞられた前記指定手段７７の複数のセグメントに関連付けられた前記指定手段２８の複数のセグメントの範囲で、前記中心軸線Ａ回りに回動又は回転する。
【００８２】
図２９〜図３２を見れば分かるように、前記送風部３が前記無線情報端末５１、ひいてはそれを持っている使用者の方向を向いている状態において、前記操作表示手段５４の指定手段７７の中心を基準として前記指標５３とは正反対に位置するセグメントＳａが、前記送風部３の方向Ｄ１４に対応するセグメントＳ１４に対応している。従って、前記指標５３を前記扇風機１に向けた状態で、前記指定手段７７のセグメントＳａをタッチすることで、前記送風部３を前記無線情報端末５１、ひいてはそれを持っている使用者の方に向けることができる。なお、（β）の位置において、（α）の姿勢で前記指定手段７７のセグメントＳｃをタッチすることで、前記送風部３を前記無線情報端末５１の方に向けることも可能ではある。しかしながら、このように操作すると、誤って隣のセグメントＳｂ又はＳｄをタッチしてしまう虞がある。このため、前記指標５３を前記扇風機１に向け、他のセグメントとは異なる表示態様となっているセグメントＳａをタッチすることで、前記送風部３を確実に前記無線情報端末５１、ひいてはそれを持っている使用者の方に向けることができる。従って、図２９の（β）の状態で、セグメントＳａをタッチすれば、前記指定手段２８のセグメントＳ１４に関連付けられた前記指定手段７７のセグメントがＳｏであり、セグメントＳａがセグメントＳｏに対し順方向に２セグメント（４５度）回動させた位置であることから、前記制御回路１７が前記首振りモータ１３を作動させて、前記送風部３を中心軸線Ａ回りに順方向に２セグメント回動させることで、前記送風部３を前記無線情報端末５１、ひいてはそれを持っている使用者の方に向けることができる。一方、図２９の（γ）の状態で、セグメントＳａをタッチすれば、前記指定手段２８のセグメントＳ１４に関連付けられた前記指定手段７７のセグメントがＳｃであり、セグメントＳａがセグメントＳｃに対し逆方向に２セグメント（４５度）回動させた位置であることから、前記制御回路１７が前記首振りモータ１３を作動させて、前記送風部３を中心軸線Ａ回りに逆方向に２セグメント回動させることで、前記送風部３を前記無線情報端末５１、ひいてはそれを持っている使用者の方に向けることができる。
【００８３】
なお、前述したように、前記セグメントＳ０〜Ｓ４及びＳ１２〜Ｓ１５は、前記指定手段２８の操作上の区切りであるが、前記扇風機１の制御プログラム内に存在する、前記送風部３を中心軸線Ａ回りに回転又は回動させる際の制御上の区切りでもある。そして、前記指定手段２８の操作上の区切りとしての前記セグメントＳ０〜Ｓ４及びＳ１２〜Ｓ１５は、制御上の区切りとしての前記セグメントＳ０〜Ｓ４及びＳ１２〜Ｓ１５と、完全に１対１で対応する。従って、前記扇風機１の制御上の区切りであるセグメントＳ０〜Ｓ４及びＳ１２〜Ｓ１５と、前記無線情報端末５１の指定手段７７のセグメントＳａ〜Ｓｐのうちの９つのセグメントを、１対１で対応するように関連付けることもできる。この場合、前記扇風機１に指定手段２８を設けず、前記無線情報端末５１のタッチパネル５２に表示される前記操作表示手段７４のみによって、前記扇風機１を操作することができる。
【００８４】
以上のように本発明の送風システムは、送風装置としての扇風機１と遠隔操作装置としての無線情報端末５１からなる送風システムであって、前記扇風機１が、基部２と、基部２に対して回転又は往復回動可能に設けられると共に軸流ファン３５及びファンモータ３４が設けられる送風部３と、基部２に対して送風部３を回転又は往復回動させる首振りモータ１３と、ファンモータ３４及び首振りモータ１３を制御する制御部としてのマイクロコンピュータ４３と、無線情報端末５１からのデータを受信する双方向無線通信ユニット４５とを有し、前記無線情報端末５１が、タッチパネル５２及び図示しない方位センサ及び双方向通信手段を有し、前記無線情報端末５１に前記扇風機１を制御するプログラムが導入され、前記扇風機１に方位センサ５０が設けられ、前記扇風機１の方位センサ５０の出力した方位情報と前記無線情報端末５１の方位センサが出力した方位情報とが、前記扇風機１と無線情報端末５１との共通の基準方向情報とされ、前記プログラムが、前記扇風機１からの情報を受信して前記送風部３の方向及び送風範囲を表示すると共に、前記無線情報端末５１の操作により前記送風部３の方向及び送風範囲を指定する操作表示手段７４を有することで、前記無線情報端末５１の姿勢が変化しても、送風システム全体の系として見た、前記指定手段２８のセグメントＳ０〜Ｓ４及びＳ１２〜Ｓ１５と前記指定手段７７のセグメントＳａ〜Ｓｐに関連付けられる前記セグメントＳ０〜Ｓ４及びＳ１２〜Ｓ１５の位置関係が実用上変化せず、前記送風部３の方向及び送風範囲が前記タッチパネル５２に表示され続けるので、前記指定手段７７を用いて前記扇風機１を容易且つ直感的に操作することができるものである。
【００８５】
また、本発明の送風システムは、前記操作表示手段７４の指定手段７７が環状或いは弧状とされたことで、遠隔操作による送風方向及び送風範囲の指定を直感的に且つ容易に行うことができるものである。
【００８６】
更に、本発明の送風システムは、前記送風部３の向いている方向に対応する前記操作表示手段７４の指定手段７７のセグメントが、それ以外のセグメントと異なる表示態様とされることで、遠隔操作による送風方向及び送風範囲の指定をより直感的に且つ容易に行うことができるものである。
【００８７】
次に、本発明の第四の実施形態について、図３３及び図３４に基づいて説明する。なお、この実施形態において、送風装置としての扇風機１は、上記第一の実施形態におけるそれと全く同じ構造であるので、前記扇風機１に関する説明は省略する。
【００８８】
８１は、一般的にリモコンと呼ばれる遠隔操作装置である。この遠隔操作装置８１には、図示しない方位センサ及びＢｌｕｅｔｏｏｔｈ（登録商標）等の双方向無線通信ユニットが内蔵されている。そして、前記遠隔操作装置８１には、指標８２と複数の操作ボタン８３が設けられる。前記指標８２は、前記遠隔操作装置８１の上部に設けられる。なお、前記指標８２は、印刷、刻印、或いはＬＥＤ等の発光素子等によって構成することができる。また、前記操作ボタン８３には、電源ボタン８３ａ、風量調節ボタン８３ｂ、首振りボタン８３ｃ、回転ボタン８３ｄ、チャイルドロックボタン８３ｅ、首振り停止ボタン８３ｆの他に、前記制御回路１７のマイクロコンピュータ４３に前記扇風機１を基準とした前記遠隔操作装置８１の方向を導出させるための操作で用いられる、方位ボタン８４が設けられる。
【００８９】
次に、前記遠隔操作装置８１を用いて遠隔操作を行う場合について説明する。なお、操作ボタン中、電源ボタン８３ａ、風量調節ボタン８３ｂ、首振りボタン８３ｃ、回転ボタン８３ｄ、チャイルドロックボタン８３ｅ、首振り停止ボタン８３ｆを用いる操作は一般的なものであるため、その説明を省略し、本発明の特徴的な操作のみについて説明する。そして、使用者が前記遠隔操作装置８１の指標８２を扇風機１に向けて、前記方位ボタン８４を押すと、前記送風部３は、前記遠隔操作装置８１の方向を向くように回動する。この原理は以下の通りである。例えば、前記遠隔操作装置８１と扇風機１が図３４のような位置関係にある場合を考える。図３４では、説明の簡易化のため、方向Ｄ８が北方向Ｎと一致しており、前記遠隔操作装置８１が方向Ｄ１２に位置しているとする。また、第一の実施形態で述べた通り、前記送風部３の方向は特定することができ、図３４では、前記送風部３の方向はＤ１４であるとする。前記電源スイッチ２７ａ又は前記電源ボタン８３ａの操作により、前記扇風機１の電源がオンになると、この扇風機１の制御回路１７のマイクロコンピュータ４３は、前記方位センサ５０からの方位情報に基づいて、方向Ｄ０〜Ｄ１５がそれぞれ北方向Ｎに対し何度ずれているかを算出する。これらのずれ角度は、前記記憶部４４に記憶される。また、前述したように、前記送風部３の方向は特定されているので、前記扇風機１の北方向Ｎと前記送風部３の方向とが成す角度θ２も特定され、前記記憶部４４に記憶される。そして、使用者が前記遠隔操作装置８１の指標８２を扇風機１に向けて、前記方位ボタン８４を押すと、前記遠隔操作装置８１に設けられた図示しない方位センサによって、北方向Ｎが特定される。同時に、前記指標８２を前記扇風機１に向けることで形成される仮想線Ｌも特定される。更に、前記北方向Ｎと前記仮想線Ｌとが成す角度θ１が算出され、前記双方向無線通信ユニットによって前記扇風機１に送信される。一方、前記扇風機１は、前記双方向無線通信ユニット４５によって、角度θ１を受信する。前記扇風機１の方位センサ５０が検知した北方向Ｎと、前記遠隔操作装置８１の方位センサが検知した北方向Ｎは、原理上、同じ方向であり、平行となる。従って、前記扇風機１の北方向Ｎと仮想線Ｌの成す角度θ１は、前記遠隔操作装置８１から送信された角度θ１である。ここから、前記遠隔操作装置８１が、前記扇風機１の北方向Ｎの線を挟んで角度θ１の補角（１８０−｜θ１｜）となる方向にあることが導出される。図３４の例の場合、θ１が前記扇風機１の北方向Ｎに対し右回りに９０度であるので、前記遠隔操作装置８１の方向は、前記扇風機１の北方向Ｎに対し左回りに９０度の方向である。このようにして、前記扇風機１から見た前記遠隔操作装置８１の方向が導出される。また、前述した通り、前記扇風機１の北方向Ｎと前記送風部１の方向とが成す角度θ２が特定されているので、仮想線Ｌと前記送風部３の方向とが成す角度θ３も以下の式で算出される。なお、前述した通り、左回りを順方向、右回りを逆方向と定義しているので、左回りが正、右回りが負の値になるようにした。
θ３＝１８０＋θ１−θ２−３６０ｘ
（但し、ｘは｜θ３｜を１８０以下とする整数であり、０又は１である。）
【００９０】
従って、この数式により算出された値が正の場合、前記制御回路１７は前記首振りモータ１３を駆動して前記送風部３を算出された角度だけ順方向に回動させる。逆に、算出された値が負の場合、前記制御回路１７は前記首振りモータ１３を駆動して前記送風部３を算出された角度だけ逆方向に回動させる。図３４の例では、θ１が−９０度、θ２が１３５度であるから、
θ３＝１８０＋（−９０）−１３５−３６０ｘ
＝−４５−３６０ｘ
｜θ３｜≦１８０であるので、ｘ＝０である。従って、
θ３＝１８０＋（−９０）−１３５
＝−４５
従って、前記送風部３を、逆方向に４５度（２セグメント分）回動させることで、前記送風部３を前記遠隔操作装置８１の方向に向けることができる。
【００９１】
前記方位ボタン８４を用いて、前記送風部３の送風範囲を指定することもできる。例えば、図３３における（β）の位置で、前記指標８２を前記扇風機１に向けた状態で前記方位ボタン８４を二度押しした後、（α）の位置で前記指標８２を前記扇風機１に向けた状態で前記方位ボタン８４を一度押しし、更に、（γ）の位置で、前記指標８２を前記扇風機１に向けた状態で前記方位ボタン８４を二度押しする。このような操作により、方向Ｄ０とＤ１２が前記送風部３の送風範囲の両端となり、方向Ｄ１４を通るように回動することが設定される。なお、一度押しされる箇所が偶数ある場合、一度押しされた箇所の間が非指定範囲Ｂとなる。このようにして送風範囲を指定すると、使用者が移動するため面倒ではあるが、前記扇風機１の周囲の状態を見ながら、送風範囲をより直接的且つ直感的に指定することができるという利点がある。
【００９２】
なお、本実施形態の場合、データの流れは前記遠隔操作装置８１から前記扇風機１への一方のみなので、前記遠隔操作装置８１に送信機、前記扇風機１に受信機を設ける構成としてもよい。
【００９３】
以上のように、本発明の送風システムは、送風装置としての扇風機１と遠隔操作装置８１とからなる送風システムであって、前記扇風機１が、基部２と、この基部２に対して回転又は往復回動可能に設けられると共に軸流ファン３５及びファンモータ３４が設けられる送風部３と、基部２に対して送風部３を回転又は往復回動させる首振りモータ１３と、ファンモータ３４及び首振りモータ１３を制御する制御部としてのマイクロコンピュータ４３と、遠隔操作装置８１からのデータを受信する通信手段としての双方向無線通信ユニット４５とを有し、前記遠隔操作装置８１が、操作手段としての方位ボタン８４と、前記扇風機１へ情報を送信する図示しない通信手段としての双方向無線通信ユニットを有する送風システムにおいて、前記扇風機１と遠隔操作装置８１のそれぞれに方位センサ５０が設けられると共に、前記扇風機１の方位センサ５０の出力した方位情報と前記遠隔操作装置８１の図示しない方位センサが出力した方位情報とが、前記扇風機１と遠隔操作装置８１との共通の基準方向情報とされ、前記扇風機のマイクロコンピュータ４３が、前記遠隔操作装置８１を前記扇風機１に向けることで生じる仮想線Ｌと基準方向である北方向Ｎとが成す角度θ１から、前記扇風機１から見た前記遠隔操作装置８１の方向を導き出すものであり、直感的で且つ簡単な操作を行うだけで、前記扇風機１から見た前記遠隔操作装置８１の方向を導き出すことができるので、前記扇風機１の送風部３を容易に前記遠隔操作装置８１の方向に向けることができる。
【００９４】
なお、本発明は以上の実施形態に限定されるものではなく、発明の要旨の範囲内で種々の変形実施が可能である。例えば、上記各実施形態では、ソフトウェア的に、指定手段を１６セグメントに分割したが、これ以上の分割数にしてもよい。また、上記各実施形態では、送風システムの送風装置を軸流ファン型の扇風機としたが、サーキュレータ等の送風機、或いは図３５に示すような、クロスフローファンを用いた送風部３ａを有するタワー型の扇風機１ａとしてもよい。
【符号の説明】
【００９５】
１  扇風機（送風装置）
２  基部
３  送風部
１３  首振りモータ
２８  指定手段
３４  ファンモータ
３５  軸流ファン（ファン）
４３  マイクロコンピュータ（制御部）
４５  双方向無線通信ユニット
５０  方位センサ
５１  無線情報端末
５２  タッチパネル
５４，６４，７４  操作表示手段
５７，６７，７７  指定手段
６６  方向表示手段
８１  遠隔操作装置
８４  方位ボタン（操作手段）
【図１】
0006730093.tif 000009
【図２】
0006730093.tif 000010
【図３】
0006730093.tif 000011
【図４】
0006730093.tif 000012
【図５】
0006730093.tif 000013
【図６】
0006730093.tif 000014
【図７】
0006730093.tif 000015
【図８】
0006730093.tif 000016
【図９】
0006730093.tif 000017
【図１０】
0006730093.tif 000018
【図１１】
0006730093.tif 000019
【図１２】
0006730093.tif 000020
【図１３】
0006730093.tif 000021
【図１４】
0006730093.tif 000022
【図１５】
0006730093.tif 000023
【図１６】
0006730093.tif 000024
【図１７】
0006730093.tif 000025
【図１８】
0006730093.tif 000026
【図１９】
0006730093.tif 000027
【図２０】
0006730093.tif 000028
【図２１】
0006730093.tif 000029
【図２２】
0006730093.tif 000030
【図２３】
0006730093.tif 000031
【図２４】
0006730093.tif 000032
【図２５】
0006730093.tif 000033
【図２６】
0006730093.tif 000034
【図２７】
0006730093.tif 000035
【図２８】
0006730093.tif 000036
【図２９】
0006730093.tif 000037
【図３０】
0006730093.tif 000038
【図３１】
0006730093.tif 000039
【図３２】
0006730093.tif 000040
【図３３】
0006730093.tif 000041
【図３４】
0006730093.tif 000042
【図３５】
0006730093.tif 000043